(57)【要約】【課題】  かしめナットの分解再使用が簡単容易にでき、かつ製造も１つの丸棒状素材から圧造成形により容易に製造できるようにすること。【解決手段】  外径が一様でかしめ可能な薄肉内孔２ｂを有する円筒体２ａの上端に外周が凹凸形状の口部２ｃが形成され、かつ円筒体２ａの下端部内に口部２ｃの内径よりも小径の雌ねじ部２ｄが形成されている主ナット体２と、中心部に主ナット体２の口部２ｃに嵌合可能な異形状の嵌合孔３ａを有し、かつ外周を回り止め機能をもつ６角形状とした座金体３とからかしめナットを構成した。【選択図】図２
2008175379.tif 000002
【特許請求の範囲】
【請求項１】
外径が一様でかしめ可能な薄肉内孔を有する円筒体の上端に外周が異形状の口部が形成され、かつ円筒体の下端部内に口部の内径よりも小径の雌ねじ部が形成されている主ナット体と、中心部に主ナット体の口部に嵌合可能な異形状の嵌合孔を有し、かつ外周を回り止め機能をもつ異形状とした座金体とからなることを特徴とするかしめナット。
【請求項２】
まず、断面が円形状の中実棒状素材の一端を圧造加工して異形状の頭部と円柱部とからなる成形体を成形し、次いで、成形体における円柱部の外周形状に合わせて頭部を打ち抜いて、回り止め機能をもった異形状で中心部に円形孔部を有する座金素体と円柱体とを形成し、その後、座金素体を中心方向に圧縮加工を施して中心部に円柱体の上端部に嵌合する異形状の嵌合孔をもつ座金体を成形する一方、円柱体に圧造加工と絞り加工を施して中間部にかしめ可能な薄肉内孔を有すると共に下端部内に内孔よりも小径な小径孔部を有し、かつ上端部に座金体の嵌合孔が嵌合可能な異形状の口部を有する円筒体を成形し、然る後、円筒体の小径孔部内に内孔のよりも小径の雌ネジ部を形成して、外径が一様でかしめ可能な薄肉内孔を有する円筒体の上端に外周が異形状の口部が形成され、かつ円筒体の下端部内に口部の内径よりも小径の雌ねじ部が形成されている主ナット体を形成したことを特徴とするかしめナットの製造方法。
【発明の詳細な説明】
【技術分野】
【０００１】    本発明は、所定厚さの板体の取付孔に嵌合してかしめ工具によるねじ締めで膨出部を圧出形成することによりナットを板体にかしめ状に固着し、これにより締結ボルトをねじ込んで必要な物体を取り付けるようにしたかしめナット及びその製造方法に関する。
【背景技術】
【０００２】  従来、この種のかしめナットは、外径が一様な筒体に鍔状頭部が一体に形成され、その筒体の内孔における下半部に、内孔よりも小径の雌ねじが形成された構造となされている。【０００３】  そして、使用時には、かしめナットを板体の取付孔に嵌合してかしめ工具によるねじ締めでかしめナットの鍔状頭部と雌ねじとの間部分を圧縮により半径方向外方へ変形して膨出を形成することにより鍔状頭部と膨出部との間に板体を挟み込んでかしめ止めにて固着するようになされている。【０００４】
【特許文献】  特公昭６２−４２１６８号公報
【発明の開示】
【発明が解決しようとする課題】
【０００５】  ところが、上記したかしめナットによれば、一旦ナットをかしめ止めにて固着すると再び分解して取り外すことができないので分解を必要とする箇所には実施できず、再使用もできない問題があった。【０００６】  そこで本発明は、かしめナットの分解再使用が簡単容易にでき、かつ製造も１つの丸棒状素材から圧造成形により容易に製造できるかしめナット及びその製造方法の提供を課題とする。
【課題を解決するための手段】
【０００７】  上記した課題を解決するために、本願の請求項１に記載の発明は、外径が一様でかしめ可能な薄肉内孔を有する円筒体の上端に外周が異形状の口部が形成され、かつ円筒体の下端部内に口部の内径よりも小径の雌ねじ部が形成されている主ナット体と、中心部に主ナット体の口部に嵌合可能な異形状の嵌合孔を有し、かつ外周を回り止め機能をもつ異形状とした座金体とからなることを特徴とする。【０００８】  また、本願の請求項２に記載の発明は、かしめナットの製造方法として、まず、断面が円形状の中実棒状素材の一端を圧造加工して異形状の頭部と円柱部とからなる成形体を成形し、次いで、成形体における円柱部の外周形状に合わせて頭部を打ち抜いて、回り止め機能をもった異形状で中心部に円形孔部を有する座金素体と円柱体とを形成し、その後、座金素体を中心方向に圧縮加工を施して中心部に円柱体の上端部に嵌合する異形状の嵌合孔をもつ座金体を成形する一方、円柱体に圧造加工と絞り加工を施して中間部にかしめ可能な薄肉内孔を有すると共に下端部内に内孔よりも小径な小径孔部を有し、かつ上端部に座金体の嵌合孔が嵌合可能な異形状の口部を有する円筒体を成形し、然る後、円筒体の小径孔部内に内孔のよりも小径の雌ネジ部を形成して、外径が一様でかしめ可能な薄肉内孔を有する円筒体の上端に外周が異形状の口部が形成され、かつ円筒体の下端部内に口部の内径よりも小径の雌ねじ部が形成されている主ナット体を形成したことを特徴とする。
【発明の効果】
【０００９】  本発明のかしめナットによれば、外径が一様でかしめ可能な薄肉内孔を有する円筒体の上端に外周が異形状の口部が形成され、かつ円筒体の下端部内に口部の内径よりも小径の雌ねじ部が形成されている主ナット体と、中心部に主ナット体の口部に嵌合可能な異形状の嵌合孔を有し、かつ外周を回り止め機能をもつ異形状とした座金体とで構成したから、主ナット体の口部外周に座金体の嵌合孔を嵌合して、その状態で主ナット体をその下端側から重ね合わせた板体の各取付孔に嵌合し、この主ナット体に締結ボルトをかしめ工具を用いてねじ込むことにより座金体と雌ねじとの間の薄肉内孔を圧縮により半径方向外方へ変形させて膨出部を形成し、これにより座金体と雌ねじとの間に両板体をかしめ止めにより固着できる。また、不使用時には締結ボルトを主ナット体から緩めて外し、その後座金体を主ナット体から引き抜いて取り外すことにより、主ナット体を板体から取り除くことができる。これにより、かしめナット及び板体の分解、再使用を容易に行うことができる。特に高価なチタン、ステンレス、銅製のかしめナットを用いたり、高価な板材を用いる場合著しい経済効果が得られる。【００１０】  また、上記した製造方法によりかしめナットを製造するようにすれば、１つの丸棒状部材から主ナット体と座金体とからなるかしめナットを材料の無駄なく圧造成形により圧造成形することができ、その製造が容易であるばかりか、コスト安価に提供できる。
【発明を実施するための最良の形態】
【００１１】  以下、本発明の実施の形態を図面に基づいて説明する。
図１は、本発明に係るかしめナットを示すもので、該かしめナット１は、主ナット体２と座金体３とからなる。主ナット体２は、外径が一様な円筒体２ａからなり、その中間部にかしめ可能な薄肉内孔２ｂを有すると共に上端に外周が凹凸などの異形状口部２ｃが形成され、かつ円筒体２ａの下端部内に口部２ｃの内径よりも小径の雌ねじ部２ｄが形成されている。一方、座金体３は、中心部に主ナット体２の口部２ｃに回転不能に嵌合可能な凹凸などの異形状嵌合孔３ａを有し、かつ回り止め機能をもつように外周が６角形状に形成されている。【００１２】  図２において符号４及び５は板体で、これら板体４及び５は例えば熔接やねじ形成ができないようなアルミ材などの薄板からなり、それぞれの板体４及び５には主ナット体２の挿入を許す取付孔４ａ，５ａが形成されている。また、符号６は頭部に多角形の凹所６ａを有する締付ボルト、符合７は凹所６ａに嵌合可能な回転軸７ａと回り止め体７ｂを備えたかしめ工具である。なお、締付ボルト６としては既存の締結ボルトが適用できること勿論である。また取付孔４ａ，５ａは丸孔の他角孔や名が孔であってもよい。【００１３】  次に、上記かしめナット１の作用について説明する。
使用時には、まず、図１の仮想線で示すように主ナット体２の口部２ｃに座金体３を嵌合し、その状態のもとで、かしめナット１を図２に示すようにその下端側から２枚重ねにしたアルミ材などの薄板からなる板体４，５の６角形状の取付孔４ａ，５ａに挿入する。その場合、座金体３の下面が上側板体４の取付孔４ａの上面に当接する位置にセットする。次に、上方側より主ナット体２の薄肉内孔２ｂに締付ボルト６を挿入し、その後かしめ工具７の回転軸７ａを締付ボルト６の凹所６ａに嵌合すると共に回り止め体７ｂを６角形状の座金体３の外周に係合させて座金体３の回り止めを行う。然る後、かしめ工具７の回転軸７ａを回転させて締付ボルト６を雌ねじ部２ｃに螺合させると共に締め込む。すると、主ナット体２の下部が板体４，５側へ引き付けられるため、主ナット体２の薄肉内孔２ｂが半径方向外方に屈曲されて膨出部２ｅが形成される。そして、かしめ工具７を介して締結ボルト６で主ナット体２をさらに締め込むことにより、図２に示すように座金体３と膨出部２ｅとの間に上下二枚の板体４，５が挟持されてかしめ止めされる。このかしめ止めが終わるとかしめ工具７を引き抜くことにより熔接やねじ形成ができないようなアルミ材などの薄板からなる板体４，５であっても、これらの板体４，５をかしめ止めすることができ締結作業を完了する。【００１４】  一方、板体４，５を取り外して保管したい場合には、まず、かしめ工具７により上記した場合と同じく回り止め体７ｂで座金体３を回り止めした上で締結ボルト６を逆回転させて締結ボルト６を主ナット体２から緩めて外す。次に、座金体３を主ナット体２の上端部から引き抜いて取り外す。これにより主ナット体２を板体４，５から取り除くことができる。したがって、かしめナット１及び板体４，５の分解、再使用を容易に行うことができる。特に高価なチタン、ステンレス、銅製のかしめナット１や高価な板体４，５を用いる場合著しい経済効果が得られる。【００１５】  次に、かしめナット１の製造方法について説明する。
図３に示すように、断面が多角形状で所定長さに切断された中実棒状素材Ａを用い、まず、第１工程で断面が円形状の中実棒状素材Ａの一端を圧造加工して異形状の頭部Ｂ１と円柱部Ｂ２とからなる成形体Ｂを成形する。次いで、第２工程で成形体Ｂにおける円柱部Ｂ２の外周形状に合わせて頭部Ｂ１を打ち抜いて、回り止め機能をもった６角形状で中心部に円形孔部Ｃ１を有する座金素体Ｃと円柱体Ｄとを形する。その後、第３工程で、円柱体Ｄに圧造加工と絞り加工を施して中間部にかしめ可能な薄肉内孔Ｅ１を有すると共に上端に凹凸などの異形状口部Ｅ２が形成され、かつ下端部に口部Ｅ２の内径よりも小径の有底穴部Ｅ３をもつ円筒体Ｅを成形する。またこれと並行して別の圧造成形機（図示せず）で座金素体Ｃを中心方向に圧縮加工を施して、中心部に上記円筒体Ｅの口部Ｅ２に回転不能に嵌合可能な凹凸などの異形状嵌合孔３ａを有し、かつ外周が回り止め機能をもつ６角形状の座金体３を成形する。然る後、第４工程で円筒体Ｅの有底穴部Ｅ３を打ち抜いて、中間部にかしめ可能な薄肉内孔Ｆ１を、また上端に外周が異形状の口部Ｆ２を持ち、かつ下端部内に口部Ｆ２の内径よりも小径の小径孔部Ｆ３を有する円筒体Ｆを成形する。その後、第５工程で円筒体Ｆの小径孔部Ｆ３内に口部Ｆ２のよりも小径の雌ネジ部２ｃを形成して、図１に示すような外径が一様でかしめ可能な薄肉内孔２ｂを有する円筒体２ａの上端に外周が異形状の口部２ｃが形成され、かつ円筒体２ａの下端部内に口部２ｃの内径よりも小径の雌ねじ部２ｄが形成されている主ナット体２を製造するようにした。【００１６】  斯く構成すれば、１つの中実丸棒状素材から主ナット体２と座金体３とからなるかしめナット１を材料の無駄なく圧造成形により一貫状態のもとで圧造成形することができ、コスト安価で簡単容易に製造することができる。【００１７】  上記した実施の形態では、座金３の外形形状は回り止め機能が発揮できる形状であればよいのであって、６角形状とする他、例えば５角形や８角形などの多角形状又は小判形状などをも含めた異形状であってもよい。【００１８】  また、主ナット体２の口部２ｃ及び座金３の嵌合孔３ａの形状は実施形態のように凹凸形状とする他、例えば外形よりも小さな多角形状や図４に示すように下広がりの傾斜面をもち６角錐傾形状の口部２ｃ′及び嵌合孔３ａ′としてもよい。斯く構成した場合にも座金体３の主ナット体２に対する回り止めと落下防止とを行うことができる。
【図面の簡単な説明】
【００１９】
【図１】  本発明に係るかしめナットの一部縦断面図である。
【図２】  同かしめナットの使用状態を示す一部省略縦断面図である。
【図３】  同かしめナットの製造工程を示す説明図である。
【図４】  同かしめナットの別の実施の形態の一部縦断面図である。
【符号の説明】
【００２０】  １            かしめナット
２            主ナット
２ａ          円筒体
２ｂ          内孔
２ｃ          口部
３            座金体
３ａ          嵌合孔
Ａ            丸棒状素材
Ｂ            成形体
Ｂ１          頭部
Ｂ２          円柱部
Ｃ            座金素体
Ｃ１          貫通孔
Ｄ            円柱体
Ｅ            円筒体
Ｅ１          内孔
Ｅ２          口部
Ｅ３          有底穴部
Ｆ            円筒体
Ｆ１          内孔
Ｆ２          口部
Ｆ３          小径孔部
【図１】
2008175379.tif 000003
【図２】
2008175379.tif 000004
【図３】
2008175379.tif 000005
【図４】
2008175379.tif 000006